(57)【要約】【課題】ミシン目の個々の形状を、複雑にせずに切り離そうとするラインに沿って切り離すことができ、個々のミシン目の小さなミシン目も作成できることが可能になる点であり、ミシン目に沿って切り離す際、ミシン目から大きくずれることなく、ミシン目に沿って確実に切り離すことが可能とする。【解決手段】直線、または曲線で一線上に形成されている、連続して連なる個々のミシン目の終わりを引き離す方向と、反対の方向に移動させた形状を最も主要な特徴とし、個々のミシン目から次のミシン目に破断するときに引き離す方向に破断しやすくなるが、そこに次のミシン目の始まりがあるので最後まで、ミシン目から外れて破断することなく切り離すことができる。【選択図】図１
2016144893.tif 000002
【特許請求の範囲】
【請求項１】
直線、または曲線で一線上に形成されている、連続して連なる個々のミシン目の終わりを引き離す方向と、反対の方向に移動させた形状を最も主要な特徴とするミシン目。
【請求項２】
切り離す部分が帯状となる場合は、直線、または曲線で一線上に形成されている、連続して連なる個々のミシン目の終わりを引き離す方向と、反対の方向に移動させた形状のミシン目を「ハ」の字状に、する形状を最も主要な特徴とするミシン目。
【発明の詳細な説明】
【技術分野】
【０００１】
本発明は、帳票、伝票、粘着ロール、包装フィルム、箱等の包装容器、熱収縮フィルム、チケット等の使用前、後に切り離しまたは、開封するために設けるミシン目に関するものである。  
【背景技術】
【０００２】
従来、帳票、伝票、契約書、チケット等切り離して使用するもの、掃除用粘着ロール等、使用することにより機能低下した部分を切り離して使用するもの、菓子箱等の開封をするために、刃物等を使用せずに切り離せるように多種多用に、ミシン目が用いられている。
【０００３】
しかし、切り離すときにミシン目から外れて破れることがあり、慎重になることがある。これらのミシン目は、直線、または曲線で一線上に形成されていて、連続して連なる個々のミシン目から次のミシン目に繋がるとき、引き離す方向に破断すると、連続して連なる次のミシン目に繋げることが困難となり、ミシン目以外のところへ破断する問題があった。
【０００４】
この改善策として、ミシン目の個々の形状を、Y字形状、「く」の字形状として切り離すとき破断せず、ミシン目の通りに切り離せるようにしたものがある。このことにより切り離しに関する問題は、解決したように思えるが、個々のミシン目が大きくなり、切り離そうとするラインに沿って切り離すことは可能になったが、切り離す部分の個々のミシン目が大きくなった。また、ミシン目を加工するために必要な刃物が複雑な形状のため加工費用、耐久性に問題があり、個々のミシン目の小さなミシン目を作成することが困難であった。
【先行技術文献】
【特許文献】
【０００５】
【特許文献１】特開２０００−３５５１８１号公報
【特許文献２】特開２０１３−２３３２８２号公報
【発明の概要】
【発明が解決しようとする課題】
【０００６】
解決しようとする問題点は、ミシン目の個々の形状を、複雑にせずに切り離そうとするラインに沿って切り離すことができ、個々のミシン目の小さなミシン目も作成できることが可能になる点である。
【課題を解決するための手段】
【０００７】
本発明は、直線、または曲線で一線上に形成されている、連続して連なる個々のミシン目の終わりを引き離す方向と、反対の方向に移動させた形状を最も主要な特徴とする。
【発明の効果】
【０００８】
本発明のミシン目が直線状となる場合は、連続して連なる個々のミシン目から次のミシン目に繋がるときに、引き離そうとする方向に破断しやすくなるが、その時に破断する方向に次のミシン目の始まりがあるので、破断せずに次のミシン目に繋がって、確実に最後まで切り離すことができるという利点がある。また、個々のミシン目が直線で形成されているためミシン目を加工するために必要な刃物を、個々のミシン目の小さなミシン目を作成することが容易になるため、個々のミシン目の小さなミシン目を作成できることが可能になるという利点がある。
【０００９】
本発明のミシン目が曲線状となる場合に、個々のミシン目を、大きく設定する時は個々のミシン目を、  曲線状のミシン目にすることにより切り離そうとするラインに合わせることができ、連続して連なる個々のミシン目から次のミシン目に繋がるときに、引き離そうとする方向に破断しやすくなるが、その時に破断する方向に次のミシン目の始まりがあるので、破断せずに次のミシン目に繋がって、確実に最後まで切り離すことができるという利点がある。
【００１０】
対象物の切り離す部分が、帯状となる場合は、本発明のミシン目を「ハ」の字状に、することにより、連続して連なる個々のミシン目から次のミシン目に繋がるときに、引き離そうとする方向に破断しやすくなるが、その時に破断する方向に次のミシン目の始まりがあるので、破断せずに次のミシン目に繋がって、確実に最後まで切り離すことができるという利点がある。
【図面の簡単な説明】
【００１１】
【図１】図１は直線状となるミシン目の実施方法を示した説明図である。（実施例１）
【図２】図２は個々のミシン目を示した説明図１である。
【図３】図３は個々のミシン目を示した説明図２である。
【図４】図４は曲線状となるミシン目の実施方法を示した説明図である。（実施例２）
【図５】図５は曲線状となるミシン目の実施方法を示した説明図である。（実施例３）
【図６】図６は重ねて綴じられた帳票用紙にミシン目を設けた説明図である。（実施例４）
【図７】図７は清掃用粘着ロールにミシン目を設けた説明図である。（実施例５）
【図８】図８は清掃用粘着ロールにミシン目を斜めに設けた説明図である。（実施例６）
【図９】図９は連続して連なる帳票用紙にミシン目を設けた説明図である。（実施例７）
【図１０】図１０は、ペットボトル等に使用されている、包装フィルムに分別するための、切り離す部分を帯状に設けたミシン目に関する説明図である。（実施例８）
【図１１】図１１は、箱を開封するために、切り離す部分を帯状に設けたミシン目に関する説明図である。（実施例９）
【図１２】図１２は、箱に取り出しするための口を、小判形に設けたミシン目に関する説明図である。（実施例１０）
【発明を実施するための形態】
【００１２】
本発明は、直線、曲線で一線上に形成されているミシン目の、個々のミシン目の終わりを引き離す方向と、反対の方向に移動させたミシン目を図１に示すように対象物（１）に形成し、図２に示すような連続して連なるミシン目（１１）の、個々の連続して連なるミシン目の終端（１１Ｂ）から次の連続して連なるミシン目の始まり（１１Ａ）に繋がるときに、引き離す方向（Ｃ）と、切り裂く方向（Ａ）の中間の方向（Ｂ）の方向に破断しやすくなるが、その時に破断する方向に次のミシン目の始まり（１１Ａ）があるので、破断せずにミシン目に沿って、確実に最後まで切り離すことができるようにしたものである。
【実施例１】
【００１３】
図１は、本発明の実施例１の図であって、対象物（１）に、切り離す部分（２）、最初のミシン目（１０）、連続して連なるミシン目（１１）、最後のミシン目（１２）を設けた実施図で、切り離す部分（２）、切り裂く方向(Ａ)、中間の方向(Ｂ)、引き離す方向（Ｃ）を示した。
【００１４】
図２は、本発明の実施例１の図をわかりやすく説明するために、最初のミシン目（１０）、連続して連なるミシン目（１１）、最後のミシン目（１２）、最初のミシン目の始まり（１０Ａ）、連続して連なるミシン目の始まり（１１Ａ）、最後のミシン目の始まり（１２Ａ）、最初のミシン目の終端（１０Ｂ）、連続して連なるミシン目の終端（１１Ｂ）、最後のミシン目の終端（１２Ｂ）を設けた実施図で、切り裂く方向(Ａ)、中間の方向(Ｂ)、引き離す方向（Ｃ）を示した。
【００１５】
図３は、図２と同じであるが、最初のミシン目（１０）、最後のミシン目（１２）の方向は、連続して連なるミシン目（１１）と同じでなくても、本発明の課題を解決するための手段、発明の効果に、変わりのないことを示した図である。また、最初のミシン目の終端（１０Ｂ）、連続して連なるミシン目の終端（１１Ｂ）を延長し、最初のミシン目の延長した終端（１０Ｃ）、連続して連なるミシン目の延長した終端（１１Ｃ）にすることで、より確実に最後まで切り離すことができることを示した図である。このことは、ミシン目を加工するときに、引き離す方向（Ｃ）に、張力のないときにより効果がある。張力があるときは、ミシン目加工のときにミシン目が開き破断する恐れがあるためである。
【実施例２】
【００１６】
図４は、本発明の実施例２の図であって、直線と曲線で形成されているミシン目を対象物（１）に最初のミシン目（１０）、連続して連なるミシン目（１１）、最後のミシン目（１２）を設けた実施図で、切り離す部分（２）、切り裂く方向(Ａ)、中間の方向(Ｂ)、引き離す方向（Ｃ）、個々のミシン目の始まりの軌跡（Ｄ）、個々のミシン目の終端の軌跡（Ｅ）を示した図である。
【実施例３】
【００１７】
図５は、本発明の実施例３の図であって、実施例２と基本的には同じであるが、曲線で形成されているミシン目の、連続して連なるミシン目（１１）に、曲線状の連続して連なるミシン目（１３）を組み合わせて、直線と曲線で形成した実施図である。このことによって、連続して連なるミシン目（１１）の、個々の連続して連なるミシン目の終端（１１Ｂ）から曲線状の連続して連なるミシン目の始まり(１３Ａ)に繋がるとき、曲線状の連続して連なるミシン目の終端(１３Ｂ)から曲線状の連続して連なるミシン目の始まり(１３Ａ) に繋がるとき、曲線状の連続して連なるミシン目の終端(１３Ｂ)から次の連続して連なるミシン目の始まり（１１Ａ）に繋がるときに切り裂く方向（Ａ）と、引き離す方向（Ｃ）との中間の方向（Ｂ）の方向に破断しやすくなり次の曲線状の連続して連なるミシン目の始まり(１３Ａ)または、ミシン目の始まり（１１ａ）があるので、破断せずにミシン目に沿って、確実に最後まで切り離すことができるようになり、発明の効果に、変わりのないことを示した。
【実施例４】
【００１８】
図６は、本発明の実施例４の図であって、重ねて綴じられた帳票用紙（３）に、最初のミシン目（１０）、連続して連なるミシン目（１１）、最後のミシン目（１２）を設けた実施図で、切り離す部分（２）、切り裂く方向(Ａ)、中間の方向(Ｂ)、引き離す方向（Ｃ）を示した。
【実施例５】
【００１９】
図７は、本発明の実施例５の図であって、清掃用粘着ロール（４）に、最初のミシン目（１０）、連続して連なるミシン目（１１）、最後のミシン目（１２）を設けた実施図で、切り離す部分（２）、切り裂く方向(Ａ)、中間の方向(Ｂ)、引き離す方向（Ｃ）を示した。
【実施例６】
【００２０】
図８は、本発明の実施例６の図であって、清掃用粘着ロール（４）に、最初のミシン目（１０）、連続して連なるミシン目（１１）、最後のミシン目（１２）の向きを、切り離す部分（２）の方向に斜めに設けた実施図で、切り離す部分（２）、切り裂く方向(Ａ)、中間の方向(Ｂ)、引き離す方向（Ｃ）を示した。これは、清掃用粘着ロール（４）から切り離す部分（２）がはがれている状態でない場合に連続して連なるミシン目（１１）以外の所へ分断されることを防ぐことに効果があることを示した。
【実施例７】
【００２１】
図９は、本発明の実施例７の図であって、連続して連なる帳票用紙（５）に、最初のミシン目（１０）、連続して連なるミシン目（１１）、最後のミシン目（１２）を設けた実施図で、切り離す部分（２）、切り裂く方向(Ａ)、中間の方向(Ｂ)、引き離す方向（Ｃ）を示した。
【実施例８】
【００２２】
図１０は、本発明の実施例８の図であって、ペットボトル等に使用されている、包装フィルム（６）に分別するために設けたミシン目に関する実施図で、切り離す部分（２）の両脇に、最初のミシン目（１０）、連続して連なるミシン目（１１）、最後のミシン目（１２）を「ハ」の字状に設けた図で、切り離す部分（２）、切り裂く方向(Ａ)、引き離す方向（Ｃ）を示した。
【実施例９】
【００２３】
図１１は、本発明の実施例９の図であって、箱（７）に開封するために設けたミシン目に関する実施図で、切り離す部分（２）の両脇に、最初のミシン目（１０）、連続して連なるミシン目（１１）、最後のミシン目（１２）を「ハ」の字状に設けた図で、切り離す部分（２）、切り裂く方向(Ａ)、引き離す方向（Ｃ）を示した。実施するときは、最初のミシン目（１０）、最後のミシン目（１２）の位置は任意とする。
【実施例１０】
【００２４】
図１２は、本発明の実施例１０の図であって、箱（７）に取り出し口を開封するために設けたミシン目に関する実施図で、切り離す部分（２）の両脇に、最初のミシン目（１０）、連続して連なるミシン目（１１）、曲線状の連続して連なるミシン目（１３）、最後のミシン目（１２）を「ハ」の字状に設けた図で、切り離す部分（２）、切り裂く方向(Ａ)、引き離す方向（Ｃ）を示した。
【産業上の利用可能性】
【００２５】
帳票、伝票、粘着ロール、包装フィルム、箱等の包装容器、熱収縮フィルム、チケット等の使用前、後に鋏等を使用せずに切り離せるように設けるミシン目から外れて破れることがあり、慎重になることがある場合に、より確実に、ミシン目の通りに切り離せるようにするために、最も簡単に利用できる方法として適用できる。
【符号の説明】
【００２６】
１    対象物
２    切り離す部分
３    重ねて綴じられた帳票用紙
４    清掃用粘着ロール
５    連続して連なる帳票用紙
６    包装フィルム
７    箱
１０      最初のミシン目
１０Ａ    最初のミシン目の始まり
１０Ｂ    最初のミシン目の終端
１０Ｃ    最初のミシン目の延長した終端
１１      連続して連なるミシン目
１１Ａ    連続して連なるミシン目の始まり
１１Ｂ    連続して連なるミシン目の終端
１１Ｃ    連続して連なるミシン目の延長した終端
１２      最後のミシン目
１２Ａ    最後のミシン目の始まり
１２Ｂ    最後のミシン目の終端
１３      曲線状の連続して連なるミシン目
１３Ａ    曲線状の連続して連なるミシン目の始まり
１３Ｂ    曲線状の連続して連なるミシン目の終端
Ａ        切り裂く方向
Ｂ        中間の方向
Ｃ        引き離す方向
Ｄ        個々のミシン目の始まりの軌跡
Ｅ        個々のミシン目の終端の軌跡
【図１】
2016144893.tif 000003
【図２】
2016144893.tif 000004
【図３】
2016144893.tif 000005
【図４】
2016144893.tif 000006
【図５】
2016144893.tif 000007
【図６】
2016144893.tif 000008
【図７】
2016144893.tif 000009
【図８】
2016144893.tif 000010
【図９】
2016144893.tif 000011
【図１０】
2016144893.tif 000012
【図１１】
2016144893.tif 000013
【図１２】
2016144893.tif 000014